(57)【要約】【課題】部品点数を削減し、必要な機能や剛性を確保しながら小型・軽量化し、また各取付け面の精度向上を図ることができるヒンジを提供する。【解決手段】フラットパネルディスプレイを左右に首振り自在に、及び／或いは、前後にチルト自在に支持すると共に箱形のフレームから構成されるヒンジにおいて、該フレームがダイカストから成る。【選択図】        図２
2008075846.tif 000002
【特許請求の範囲】
【請求項１】
フラットパネルディスプレイを左右に首振り自在に、及び／或いは、前後にチルト自在に支持すると共に箱形のフレームから構成されるヒンジにおいて、該フレームがダイカストから成ることを特徴とするヒンジ。
【請求項２】
上記前後にチルト自在に回動させるチルト部材の圧入部を、上記フレームに形成した圧入孔に圧入して、ネジ止またはカシメ等の固定手段により固定して構成することを特徴とする請求項１に記載のヒンジ。
【請求項３】
上記チルト部材により回動すると共に上記フラットパネルディスプレイを取り付ける取付部材の回動幅を規制するストッパーを、上記フレームに一体的に形成したことを特徴とする請求項２に記載のヒンジ。
【請求項４】
２枚の平行な側板部を有するフレームの一方の側板部にシャフト部を一体に形成したことを特徴とする請求項１、２または３に記載のヒンジ。
【発明の詳細な説明】
【技術分野】
【０００１】
本発明は、例えば、液晶ディスプレイ等のフラットパネルディスプレイを左右に首振り自在に回動可能に、あるいは前後にチルト（傾動）自在に支持するヒンジであって、特に箱形のフレームにより構成されるヒンジに関する。
【背景技術】
【０００２】
一般にヒンジのフレームは、その剛性を確保するために、金属板をプレス加工や、溶接または重ね合わせ構造により構成されていた。
また、必要トルクの上昇に伴う強度アップのために部品構成を変更して大型化する傾向にあった。
【０００３】
しかし、上記従来のヒンジのフレームは、必要な機能や剛性を確保するために、部品点数が多くなって重量が重く、また、組立工程が長くなって、コスト高となる等の問題点があった。
さらに、構造上各取付け面の平面精度や垂直精度、あるいは寸法精度を確保することが困難となり、特に、高トルクのヒンジは大型になる等の問題点もあった。
【発明の開示】
【発明が解決しようとする課題】
【０００４】
本発明が解決しようとする課題は、箱形のフレームをダイカストで一体型にすることにより、部品点数を削減し、必要な機能や剛性を確保しながら小型・軽量化し、また各取付け面の精度向上を図ることができるヒンジを提供することにある。
【課題を解決するための手段】
【０００５】
本発明のヒンジは、フラットパネルディスプレイを左右に首振り自在に、及び／或いは、前後にチルト自在に支持すると共に箱形のフレームから構成されるヒンジにおいて、該フレームがダイカストから成ることを特徴とする。また、上記前後にチルト自在に回動させるチルト部材の圧入部を、上記フレームに形成した圧入孔に圧入して、ネジ止またはカシメ等の固定手段により固定して構成することを特徴とする。さらに、上記チルト部材により回動すると共に上記フラットパネルディスプレイを取り付ける取付部材の回動幅を規制するストッパーを、上記フレームに一体的に形成したことを特徴とする。また更に、２枚の平行な側板部を有するフレームの一方の側板部にシャフト部を一体に形成したことを特徴とする。
【発明の効果】
【０００６】
本発明のヒンジは、次のような利点がある。
１）必要な合成を確保しながら小型化できるため、従来品に比べ軽量化できる。
２）各取付け面を一体化できるため、各部の寸法精度・平面度・垂直度等を容易に出すことができる。
３）フレーム形状の自由度が高いため強度確保しやすく、別途補強部品等を取り付ける必要が無く、また、ストッパー、回転シャフトをフレームと一体化できることにより、部品点数を削減できる。
４）必要な強度を確保しながら小型化できるため、各種サイズ用のヒンジを共用化することが可能となり、コストを低減することができる。
【発明を実施するための最良の形態】
【０００７】
図１は、本発明のヒンジの一実施例を取り付けたモニター装置の背面を示すもので、Ｂはベース部材、Ｈはヒンジ、Ｄはフラットパネルディスプレイである。該ヒンジＨは、上記フラットパネルディスプレイＤを左右に首振り自在に、また、前後にチルト（傾動）自在に、それぞれ回動できるようにベース部材Ｂ上に取り付けている。
【０００８】
上記ヒンジＨは、図２および図３に示すように、主としてフレーム１と、ベース取付部材２と、取付ボルト３と、チルト部材４と、ディスプレイ取付部材５から構成されている。
【０００９】
上記フレーム１は、図４からも明らかなように、２枚の平行な側板部１ａと、底板部１ｂと、前板部１ｃにより、隣接する２面が解放された４面板から成る箱形にダイカストにより一体構成されている。
【００１０】
上記側板部１ａには、チルト軸圧入孔１ａ−１が開設されていると共に、ストッパー片１ａ−２が突設されている。
【００１１】
上記底板部１ｂの中央部には取付孔１ｂ−１（図４を参照）が開けられていて、上記取付ボルト３により、上記フレーム１が上記ベース取付部材２に回動自在に取り付けられている。該ベース取付部材２は、上記ベース部材Ｂに取り付け固定される。なお、上記ベース取付部材２には切欠凹部２ａが形成されていて、これに上記底板部１ｂに突設されたストッパー片１ｂ−１が臨んでおり、上記フレーム１の回動幅を規制している。
【００１２】
図３から明らかなように、上記チルト部材４は、主としてチルト軸４ａと、複数枚のフリクション盤４ｂと、締付けナット４ｃから成る。さらに、上記チルト軸４ａは、上記チルト軸圧入孔１ａ−１に圧入固定される圧入部４ａ−１とフランジ部４ａ−２とシャフト部４ａ−３から成る。該シャフト部４ａ−３には、上記ディスプレイ取付部材５が任意の回転位置に停止可能に取り付けられている。なお、上記ディスプレイ取付部材５には切欠凹部５ａが形成されていて、これに上記側板部１ａに突設されたストッパー片１ａ−２が臨んでおり、上記取付部材５のチルト（回動）幅を規制している。
【００１３】
上記実施例では、２枚の側板部１ａのいずれにもチルト軸圧入孔１ａ−１が形成されているが、図５〜図７に示すように、一方の側板部１ａにはシャフト部１ａ−３を一体に形成して、該シャフト部１ａ−３に上記ディスプレイ取付部材５を回転自由に枢着せしめるように構成してもよい。
本第２の実施例では、チルト（傾動）用のフリクション盤４ｂが一方にしかないので、軽量小型のフラットパネルディスプレイＤに好適である。
【図面の簡単な説明】
【００１４】
【図１】本発明のヒンジを取り付けたディスプレイ装置を裏側からみた斜視図である。
【図２】図１のヒンジの拡大斜視図である。
【図３】図２のヒンジの分解斜視図である。
【図４】図３のヒンジのダイカスト製のフレームの斜視図である。
【図５】別の実施例のヒンジの斜視図である。
【図６】図５のヒンジの分解斜視図である。
【図７】図６のヒンジのダイカスト製のフレームの斜視図である。
【符号の説明】
【００１５】
１    フレーム
１ａ  側板部
１ａ−１  チルト軸圧入孔
１ａ−２  ストッパー片
１ｂ  底板部
１ｂ−１  取付孔
１ｂ−２  ストッパー片
１ｃ  前板部
２    ベース取付部材
２ａ  切欠凹部
３    取付ボルト
４    チルト部材
４ａ  チルト軸
４ａ−１  圧入部
４ａ−２  フランジ部
４ａ−３  シャフト部
４ｂ  フリクション盤
４ｃ  締付けナット
５    ディスプレイ取付部材
５ａ  切欠凹部
Ｂ    ベース部材
Ｄ    フラットパネルディスプレイ
Ｈ    ヒンジ
【図１】
2008075846.tif 000003
【図２】
2008075846.tif 000004
【図３】
2008075846.tif 000005
【図４】
2008075846.tif 000006
【図５】
2008075846.tif 000007
【図６】
2008075846.tif 000008
【図７】
2008075846.tif 000009
【手続補正書】
【提出日】平成18年9月28日(2006.9.28)
【手続補正１】
【補正対象書類名】特許請求の範囲
【補正対象項目名】請求項２
【補正方法】変更
【補正の内容】
【請求項２】
上記前後にチルト自在に回動させるチルト部材の圧入部を、上記フレームに形成した圧入孔に圧入して固定することを特徴とする請求項１に記載のヒンジ。
【手続補正２】
【補正対象書類名】明細書
【補正対象項目名】０００５
【補正方法】変更
【補正の内容】
【０００５】
本発明のヒンジは、フラットパネルディスプレイを左右に首振り自在に、及び／或いは、前後にチルト自在に支持すると共に箱形のフレームから構成されるヒンジにおいて、該フレームがダイカストから成ることを特徴とする。また、上記前後にチルト自在に回動させるチルト部材の圧入部を、上記フレームに形成した圧入孔に圧入して固定することを特徴とする。さらに、上記チルト部材により回動すると共に上記フラットパネルディスプレイを取り付ける取付部材の回動幅を規制するストッパーを、上記フレームに一体的に形成したことを特徴とする。また更に、２枚の平行な側板部を有するフレームの一方の側板部にシャフト部を一体に形成したことを特徴とする。